(57)【要約】【課題】肌触りが滑らかで、柔軟な、より下着に近い感触が得られる使い捨て吸収性物品を提供する。【解決手段】使い捨ておむつ１は、背部にあてがわれる後背部２と腹部にあてがわれる前腹部３とそれら後背部２と前腹部３間に連なって設けられる股部４とを有するおむつ本体５と、おむつ本体５の後背部２から股部４および前腹部３にわたる縦長の吸収体とを備える。おむつ本体５の最外層に配置される外層シート１２が、熱エンボス加工され親水性処理を施した不織布シートからなると共に、その平均摩擦係数が０．１３０〜０．１５０の範囲とされている。【選択図】図１
2007097979.tif 000002
【特許請求の範囲】
【請求項１】
背部にあてがわれる後背部と腹部にあてがわれる前腹部とそれら後背部と前腹部間に連なって設けられる股部とを有するシート本体部と、該シート本体部の後背部から股部および前腹部にわたる縦長の吸収体とを備えてなる使い捨て吸収性物品において、
前記シート本体部の最外層に配置される外層シートが、熱エンボス加工され親水性処理を施した不織布シートからなると共に、その平均摩擦係数が０．１３０〜０．１５０の範囲であることを特徴とする使い捨て吸収性物品。
【請求項２】
請求項１に記載の使い捨て吸収性物品において、
前記シート本体部は、前記外層シートに重合状態とされた肌面側の内層シートを備えると共に、前記後背部および前記前腹部にそれぞれ接合されて前記吸収体の長手方向両端部を被覆するエンド押さえシートを備え、
前記内層シートおよび前記エンド押さえシートが、熱エンボス加工され親水性処理を施した不織布シートからなると共に、その平均摩擦係数が０．１３０〜０．１５０の範囲であることを特徴とする使い捨て吸収性物品。
【請求項３】
請求項１または請求項２に記載の使い捨て吸収性物品において、
前記外層シートが、連続長繊維の不織布シートからなることを特徴とする使い捨て吸収性物品。
【発明の詳細な説明】
【技術分野】
【０００１】
本発明は、パンツ型の使い捨ておむつ等のような使い捨て吸収性物品の改良に関するものである。
【背景技術】
【０００２】
従来、この種の使い捨て吸収性物品として、例えば、パンツ型等の使い捨ておむつがあり、このようなおむつの最外層には、通常、尿や便等の漏れ防止の観点から撥水性の不織布シートからなる外層シートが用いられていた。
【０００３】
また、バックシートの外面に、熱エンボス加工された不織布シートからなる外層シートが接合された使い捨ておむつも提案されている（例えば、特許文献１参照。）。
【０００４】
そして、通常、熱エンボス加工は高温度で行われ、各熱エンボス部の不織布繊維が強固に溶融・硬化しているため、ザラザラ感やゴワゴワ感があったが、この特許文献文献１に開示のものによれば、熱エンボス加工を１４０℃〜１５０℃の温度で行うことにより、外層シートに柔らかさと滑らかさを確保する構成としている。
【０００５】
【特許文献１】特開２００３−２２００９２号公報
【発明の開示】
【発明が解決しようとする課題】
【０００６】
しかしながら、上記のような撥水性の不織布シートからなる外層シートによれば、肌触りが滑らかでなく、また、熱エンボス加工により柔らかさと滑らかさを確保するといっても、ザラザラ感やゴワゴワ感を軽減する程度であり、依然として、下着のような肌触り感が得られず、着用者に不快感を与えるという欠点があった。
【０００７】
一方、軽失禁用の使い捨ておむつを着用する人は、失禁する尿の量も少なく、自分自身で歩くことができる人が多い。従って、尿が吸収体から漏れることよりも、肌触りが滑らかで、柔軟な、より下着に近い感触が得られる使い捨ておむつが求められている。
【０００８】
そこで、本発明の解決すべき課題は、肌触りが滑らかで、柔軟な、より下着に近い感触が得られる使い捨て吸収性物品を提供することを目的とする。
【課題を解決するための手段】
【０００９】
上記の課題を解決するため、請求項１の発明では、背部にあてがわれる後背部と腹部にあてがわれる前腹部とそれら後背部と前腹部間に連なって設けられる股部とを有するシート本体部と、該シート本体部の後背部から股部および前腹部にわたる縦長の吸収体とを備えてなる使い捨て吸収性物品において、前記シート本体部の最外層に配置される外層シートが、熱エンボス加工され親水性処理を施した不織布シートからなると共に、その平均摩擦係数が０．１３０〜０．１５０の範囲である構造とされている。
【００１０】
また、請求項２の発明では、請求項１に係る使い捨て吸収性物品において、前記シート本体部は、前記外層シートに重合状態とされた肌面側の内層シートを備えると共に、前記後背部および前記前腹部にそれぞれ接合されて前記吸収体の長手方向両端部を被覆するエンド押さえシートを備え、前記内層シートおよび前記エンド押さえシートが、熱エンボス加工され親水性処理を施した不織布シートからなると共に、その平均摩擦係数が０．１３０〜０．１５０の範囲である構造とされている。
【００１１】
さらに、請求項３の発明では、請求項１または請求項２に係る使い捨て吸収性物品において、前記外層シートが、連続長繊維の不織布シートからなる構造とされている。
【発明の効果】
【００１２】
請求項１に記載の発明に係る使い捨て吸収性物品においては、シート本体部の最外層に配置される外層シートが、熱エンボス加工され親水性処理を施した不織布シートからなると共に、その平均摩擦係数が０．１３０〜０．１５０の範囲である構造とされており、外層シートの親水性処理と熱エンボス加工により、肌触りが滑らかで、柔らかでごわつかず、見た目も布のようであり、より下着に近い感触が得られる利点がある。
【００１３】
そして、使い捨て吸収性物品の製造に際して、外層シートはその平均摩擦係数が０．１３０〜０．１５０の範囲であり、適度な摩擦があるため、製造ラインにおいて良好に流れる利点もある。
【００１４】
また、請求項２に記載の発明によれば、シート本体部は、外層シートに重合状態とされた肌面側の内層シートを備えると共に、後背部および前腹部にそれぞれ接合されて吸収体の長手方向両端部を被覆するエンド押さえシートを備え、内層シートおよびエンド押さえシートが、熱エンボス加工され親水性処理を施した不織布シートからなると共に、その平均摩擦係数が０．１３０〜０．１５０の範囲である構造とされており、シート本体部の外面側だけでなく内面側も肌触りが滑らかで、より一層下着に近い感触が得られ、布製の下着をはいているような着用感が得られる利点がある。
【００１５】
さらに、請求項３に記載の発明によれば、外層シートが、連続長繊維の不織布シートからなる構造とされているため、強度的に強く、薄くて滑らかであり、ごわつき感もなく、より下着に近い感触の使い捨て吸収性物品を提供できる。
【発明を実施するための最良の形態】
【００１６】
＜実施形態＞
以下、本発明の実施形態を図面に基づいて説明すると、図１ないし図４に示されるように、使い捨て吸収性物品の一例としてのパンツ型の使い捨ておむつ１は、従来同様、着用者の背部にあてがわれる後背部２と、腹部にあてがわれる前腹部３と、それら後背部２と前腹部３間に連なって設けられると共に両側部が切欠状とされて若干幅狭に形成され、着用者の股部にあてがわれる股部４とを有するシート本体部としてのおむつ本体５と、股部４に後背部２から前腹部３にわたってホットメルト接着剤等により貼着されたいわゆる縦長の吸収体６とを備えた構造とされている。
【００１７】
そして、二つ折り状態とされたおむつ本体５における後背部２の両側端部２ａと前腹部３の両側端部３ａとが、超音波溶着等により互いに接合されて接合部７が形成され、ここに、図１に示されるように、後背部２と前腹部３とにより周方向環状の腰周り開口部８が形成されると共に、股部４の両側に脚周り開口部９がそれぞれ形成されたいわゆるパンツ型に構成されている。
【００１８】
前記おむつ本体５は、図３に示されるように、ホットメルト接着剤等により互いに重合状に接合された内層シート１１と外層シート１２とを備え、後背部２や前腹部３における腰部周り、腹部周りにそれぞれ対応した内層シート１１と外層シート１２との間には、ウエストギャザー形成用弾性部材１３、ボディギャザー形成用弾性部材１４がそれぞれ伸張状態で介在され、ウエストギャザー形成用弾性部材１３やボディギャザー形成用弾性部材１４の伸縮作用により腰周りや腹周りに柔軟にフィットするウエストギャザー部１５やボディギャザー部１６が構成されている。
【００１９】
また、股部４における脚部周りに対応した内層シート１１と外層シート１２との間には、レッグギャザー形成用弾性部材１７が伸張状態で介在されており、レッグギャザー形成用弾性部材１７の伸縮作用により脚周りに柔軟にフィットするレッグギャザー部１８が構成されている。
【００２０】
そして、内層シート１１や外層シート１２は親水性処理を施された不織布シートからなり、例えば、ポリプロピレンもしくはポリオレフィン／ポリエステル共重合体等を用いて、スパンボンド法により不織布シートを形成し、この不織布シートを界面活性剤に浸漬することにより、親水性処理されている。
【００２１】
また、内層シート１１や外層シート１２は、熱エンボス加工が施されており、その表面の平均摩擦係数（ＭＩＵ）が０．１３０〜０．１５０の範囲とされると共に、その表面の摩擦係数の変動（ＭＭＤ）が略０．０１０程度とされている。なお、これら平均摩擦係数（ＭＩＵ）や摩擦係数の変動（ＭＭＤ）は、カトーテック株式会社の表面摩擦試験装置（ＫＥＳ−ＦＢ４）により測定した。
【００２２】
前記各弾性部材１３，１４，１７としては、通常使い捨ておむつに用いられる弾性伸縮材料（ポリウレタン糸、ポリウレタンフィルム、天然ゴム等）が用いられ、伸張状態でホットメルト接着剤、熱溶着、超音波溶着等の貼着手段によりそれぞれの所定部位に貼着される構造とされている。
【００２３】
前記吸収体６は、図４にも示されるように、吸収体本体部としての液保持性を有する吸液マット体２０と、該吸液マット体２０の外面側（図では下側）を包むように覆うバックシート２１と、吸液マット体２０の肌面側（図では上側）を包むように覆うトップシート２２とを備え、所定形状に成形された構造とされている。
【００２４】
そして、トップシート２２は親水性処理を施した、もしくはエアースルー不織布等の親水性を有する透液性の不織布シートにより構成され、その表面の肌触りは滑らかで、柔軟性を有していることが好ましい。また、バックシート２１は透液性あるいは撥水性の不織布シート、不透液性のプラスチックフィルム等により構成される。さらに、吸液マット体２０は、例えば、粉砕したパルプ繊維やセルロース繊維等の親水性繊維集合層に粒状の高分子吸収体を混合した塊をティッシュペーパー等の紙シートまたは透液性不織布シート等の被覆シートで包み、所定形状に成形された構造とされている。
【００２５】
また、吸収体６における肌面側の幅方向両側部には、その長手方向に沿ってサイドシート２３がそれぞれホットメルト接着剤等により接合されており、各サイドシート２３の内側端縁部にはそれぞれ立体ギャザー形成用弾性部材２４が伸張状態で介在されている。そして、これら立体ギャザー形成用弾性部材２４の伸縮作用により、着用者の肌側に柔軟に押し付けられるべく内向きに起立する立体ギャザー部２５が構成されている。
【００２６】
そして、このサイドシート２３もその表面の肌触りは滑らかで、柔軟性を有していることが好ましく、例えば、前記内層シート１１や外層シート１２と同様、親水性処理を施した不織布シートからなり、その一例として、ポリプロピレンもしくはポリオレフィン／ポリエステル共重合体等を用いて、スパンボンド法により不織布シートを形成し、この不織布シートを界面活性剤に浸漬することにより親水性処理が施されると共に、熱エンボス加工が施されている。また、立体ギャザー形成用弾性部材２４は前記弾性部材１３，１４，１７と同様の伸縮性材料が用いられ、同様に、ホットメルト接着剤等により所定部位に貼着される構造とされている。
【００２７】
さらに、貼着された吸収体６の両端部が直接肌に当たらないように、吸収体６の長手方向両端部が後背部２および前腹部３にそれぞれホットメルト接着剤等により重合状に接合されたエンド押さえシート２６，２７により被覆された構造とされている。この際、図２や図３に示されるように、各エンド押さえシート２６，２７は後背部２や前腹部３の領域よりも幅狭な帯状に形成されている。
【００２８】
これらエンド押さえシート２６，２７も前記内層シート１１や外層シート１２と同様、親水性処理を施された不織布シートからなり、例えば、ポリプロピレンもしくはポリオレフィン／ポリエステル共重合体等を用いて、スパンボンド法により不織布シートを形成し、この不織布シートを界面活性剤に浸漬することにより親水性処理が施されると共に、熱エンボス加工が施され、その表面の平均摩擦係数（ＭＩＵ）が０．１３０〜０．１５０の範囲とされると共に、その表面の摩擦係数の変動（ＭＭＤ）が略０．０１０程度とされている。
【００２９】
また、図３に示されるように、外層シート１２の端部は内層シート１１の端部上面側にそれぞれ折り返されて重合状に接合された構造とされている。
【００３０】
そして、この使い捨ておむつ１の着用状態においては、ウエストギャザー部１５、ボディフィットギャザー部１６、レッグギャザー部１８、立体ギャザー部２５により着用者の各部肌側へ良好に密着する構造とされている。
【００３１】
本実施形態は以上のように構成されており、使い捨ておむつ１における外層シート１２、内層シート１１およびエンド押さえシート２６，２７が、それぞれスパンボンド法による不織布シートに、親水性処理および熱エンボス加工が施された構成とされているため、親水性処理を行うことにより不織布シート表面が滑らかになって肌触り向上が図れ、熱エンボス加工を行うことによりドレープ性や柔軟性が確保でき、しかもそれぞれの表面の平均摩擦係数（ＭＩＵ）が０．１３０〜０．１５０の範囲とされているため、使い捨ておむつ１における内外の表面における肌触りが滑らかであり、柔らかでごわつかず、見た目も布のようであり、より下着に近い感触が得られる。従って、着用時においては、股部分や腰周りのごわつき感もなく、布製の下着をはいているような着用感が得られ、軽失禁用の使い捨ておむつ１として有用であるという利点がある。
【００３２】
また、吸収体６のトップシート２２やサイドシート２３もそれぞれ親水性処理を施された不織布シートからなり、より一層下着に近い感触が得られ、布製の下着をはいているようなより良好な着用感が得られる利点がある。
【００３３】
さらに、外層シート１２の表面が滑らかであるため、他のものとの摩擦による毛羽立ちも有効に防止でき、品質の良好な使い捨ておむつ１を提供できる利点がある。特に、外層シート１２として、スパンボンド法による連続長繊維の不織布シートを用いることにより、強度的にも強く、薄くて滑らかであり、ごわつき感もなく、より一層下着に近い感触の使い捨ておむつ１を提供できる。
【００３４】
さらに、使い捨ておむつ１の製造に際して、外層シート１２の平均摩擦係数（ＭＩＵ）があまりに低いと滑りが生じて、製造機械の途中で製品がうまく送られなくなるおそれがあるが、本実施形態においては、外層シート１２の平均摩擦係数（ＭＩＵ）が０．１３０〜０．１５０の範囲であり、適度な摩擦があるため、製造ラインにおいて良好に流れる利点がある。
【００３５】
なお、上記実施形態においては、内層シート１１、外層シート１２、サイドシート２３およびエンド押さえシート２６，２７として、スパンボンド法による不織布シートを親水性処理すると共に熱エンボス加工したものを利用しているが、メルトブロー法による不織布シートやエアースルー不織布等の親水性を有する不織布シートを用いる構造であってもよい。
【００３６】
また、バックシート２１やサイドシート２３として、撥水性の不織布シートや不透液性のプラスチックフィルム等を採用すれば、軽失禁用に限らず、一般の使い捨ておむつ１としても有効に利用できる。
【００３７】
さらに、上記実施形態においては、使い捨て吸収性物品としていわゆるパンツ型の使い捨ておむつ１に採用した構造を示しているが、脱着テープ等によりおむつの前後を着脱自在に止着可能とした使い捨ておむつであってもよく、実施形態の構造に何ら限定されない。
【図面の簡単な説明】
【００３８】
【図１】本発明の実施形態に係る使い捨ておむつの斜視図である。
【図２】同展開図である。
【図３】図２のIII−III線断面矢視図である。
【図４】図２のIV−IV線断面矢視図である。
【符号の説明】
【００３９】
１  使い捨ておむつ、２  後背部、３  前腹部、４  股部、５  おむつ本体、６  吸収体、１１  内層シート、１２  外層シート、２０  吸液マット体、２１  バックシート、２２  トップシート、２３  サイドシート、２６  エンド押さえシート、２７  エンド押さえシート。
【図１】
2007097979.tif 000003
【図２】
2007097979.tif 000004
【図３】
2007097979.tif 000005
【図４】
2007097979.tif 000006